(57)【特許請求の範囲】
【請求項１】
２つの電動モータと他の電気機器をスイッチ装置で動作制御する電動機器の制御装置であって、
前記スイッチ装置は、２つの電動モータを高速駆動する第１のスイッチと、前記２つの電動モータを低速駆動する第２のスイッチと、前記電気機器を動作制御する補助スイッチと、前記第１・第２のスイッチをＯＦＦするための切スイッチを備え、
前記第１・第２のスイッチは、両方が同時にＯＮとなることがなく、操作したスイッチのみがＯＮとなり、かつＯＮ状態を維持し、前記切スイッチを操作することでＯＦＦとなり、
前記補助スイッチは、前記第１・第２のスイッチと連動して当該第１・第２のスイッチがＯＮのときにはＯＮとなり、ＯＦＦのときにはＯＦＦするようにし、
前記第１のスイッチは、第１の操作杆をＯＮ位置、ＯＦＦ位置に移動することで同時にＯＮ，ＯＦＦする第１・第２接点を有し、その第１接点の出力側が一方の電動モータの高速側の回路に接続し、第２接点の出力側が他方の電動モータの高速側の回路に接続し、
前記第２のスイッチは、第２の操作杆をＯＮ位置、ＯＦＦ位置に移動することで同時にＯＮ，ＯＦＦする第１・第２接点を有し、その第１接点の出力側が一方の電動モータの低速側の回路に接続し、第２接点の出力側が他方の電動モータの低速側の回路に接続し、
前記補助スイッチは，ＯＮ，ＯＦＦする接点を有し、その接点の出力側が他の電気機器に接続し、
前記切スイッチは、切用カムを有する操作杆を備え、
第１・第２のスイッチの第１・第２の操作杆はＯＮ用カムと補助用カムを有し、その第１・第２の操作杆をスプリングでＯＦＦ位置に保持し、かつスプリングに抗して押すことでＯＮ位置となるようにし、
この第１・第２の操作杆と切スイッチの操作杆とに亘って第１プレート（６５）が設けられ、この第１プレート（６５）は第１・第２の操作杆をＯＮ位置で保持する第１位置と、その保持を解放する第２位置に亘って移動自在で、第１・第２の操作杆をＯＦＦ位置からＯＮ位置に向けて移動することで前記ＯＮ用カムで第１プレート（６５）が第１位置に移動し、かつ切スイッチの操作杆をスプリングに抗して押すことで前記切用カムで前記第１プレート（６５）が第２位置に移動するようにし、
前記補助スイッチをＯＮする第３位置とＯＦＦする第４位置とに亘って移動自在な第２プレート（７０）を設け、
この第２プレート（７０）を、前記第４位置に保持し、かつ第１・第２の操作杆の一方をＯＮ位置とすることで当該操作杆の補助用カムにより第３位置に移動するようにしたことを特徴とする電動機器の制御装置。
【請求項２】
２つの電動モータと他の電気機器をスイッチ装置で動作制御する電動機器の制御装置であって、
前記スイッチ装置は、一方の電動モータを高速駆動し、かつ他方の電動モータを駆動制御する第１のスイッチと、前記一方の電動モータを低速駆動し、かつ他方の電動モータを駆動制御する第２のスイッチと、前記電気機器を動作制御する補助スイッチと、前記第１・第２のスイッチをＯＦＦするための切スイッチを備え、
前記第１・第２のスイッチは、両方が同時にＯＮとなることがなく、操作したスイッチのみがＯＮとなり、かつＯＮ状態を維持し、前記切スイッチを操作することでＯＦＦとなり、
前記補助スイッチは、前記第１・第２のスイッチと連動して当該第１・第２のスイッチがＯＮのときにはＯＮとなり、ＯＦＦのときにはＯＦＦするようにし、
前記第１のスイッチは、第１の操作杆をＯＮ位置、ＯＦＦ位置に移動することで、同時にＯＮ，ＯＦＦする第１・第２接点を有し、その第１接点の出力側が一方の電動モータの高速側の回路に接続し、第２接点の出力側が他方の電動モータに接続し、
第２のスイッチは、第２の操作杆をＯＮ位置、ＯＦＦ位置に移動することで同時にＯＮ，ＯＦＦする第１・第２接点を有し、その第１接点の出力側が一方の電動モータの低速側の回路に接続し、第２接点の出力側が他方の電動モータに接続し、
補助スイッチは，ＯＮ，ＯＦＦする接点を有し、その接点の出力側が他の電気機器に接続し、
前記切スイッチは、切用カムを有する操作杆を備え、
第１・第２のスイッチの第１・第２の操作杆はＯＮ用カムと補助用カムを有し、その第１・第２の操作杆をスプリングでＯＦＦ位置に保持し、かつスプリングに抗して押すことでＯＮ位置となるようにし、
この第１・第２の操作杆と切スイッチの操作杆とに亘って第１プレート（６５）が設けられ、この第１プレート（６５）は第１・第２の操作杆をＯＮ位置で保持する第１位置と、その保持を解放する第２位置に亘って移動自在で、第１・第２の操作杆をＯＦＦ位置からＯＮ位置に向けて移動することで前記ＯＮ用カムで第１プレート（６５）が第１位置に移動し、かつ切スイッチの操作杆をスプリングに抗して押すことで前記切用カムで前記第１プレート（６５）が第２位置に移動するようにし、
前記補助スイッチをＯＮする第３位置とＯＦＦする第４位置とに亘って移動自在な第２プレート（７０）を設け、
この第２プレート（７０）を、前記第４位置に保持し、かつ第１・第２の操作杆の一方をＯＮ位置とすることで当該操作杆の補助用カムにより第３位置に移動するようにしたことを特徴とする電動機器の制御装置。
【請求項３】
同時にＯＮ，ＯＦＦする第１・第２接点を有した複数のスイッチと、
ＯＮ，ＯＦＦする接点を有した補助スイッチ（３６）と、切スイッチ（３４）を備え、
前記複数のスイッチは、第１・第２接点をＯＮするＯＮ位置と第１・第２接点をＯＦＦするＯＦＦ位置に移動し、ＯＮ用カム（６８）と補助用カム（７２）を有する操作杆を、スプリングでＯＦＦ位置に保持し、かつスプリングに抗して押すことでＯＮ位置となるようにし、
前記切スイッチ（３４）は、切用カム（６７）を有する操作杆を備え、
前記複数のスイッチの各操作杆と切スイッチ（３４）の操作杆とに亘って第１プレート（６５）が設けられ、この第１プレート（６５）は複数のスイッチの操作杆をＯＮ位置で保持する第１位置と、その保持を解放する第２位置に亘って移動自在で、前記スイッチの操作杆をＯＦＦ位置からＯＮ位置に向けて移動することで前記ＯＮ用カム（６８）により第１プレート（６５）が第１位置に移動し、かつ切スイッチ（３４）の操作杆をスプリングに抗して押すことで前記切用カム（６７）により第１プレート（６５）が第２位置に移動するようにし、
前記複数のスイッチの操作杆と補助スイッチ（３６）とに亘って第２プレート（７０）を、当該補助スイッチ（３６）をＯＮする第３位置とＯＦＦする第４位置とに亘って移動自在に設け、
この第２プレート（７０）を、前記第４位置に保持すると共に、前記複数のスイッチの操作杆の一つをＯＮ位置とすることで当該操作杆の補助用カム（７２）により第３位置に移動するようにしたことを特徴とするスイッチ装置。
【請求項４】
前記複数のスイッチの操作杆間に作動杆をそれぞれ設け、この作動杆は操作杆のＯＮ位置への移動を阻止する第５位置と，ＯＮ位置への移動を許容する第６位置に移動自在で、各操作杆がＯＦＦ位置のときには第６位置に保持され、いずれか１つの操作杆がＯＮ位置に移動すると、当該操作杆によって第５位置に移動して残りの操作杆がＯＮ位置に移動できないようにした請求項３記載のスイッチ装置。
【発明の詳細な説明】
【技術分野】
【０００１】
本発明は、給排気式レンジフードなどの複数の電動モータを備えた電動機器をスイッチのＯＮ，ＯＦＦ操作で動作制御する電動機器の制御装置及びそのスイッチ装置に関する。
【背景技術】
【０００２】
特許文献１に給排気式レンジフードが開示されている。
このレンジフードは、排気用の電動モータで駆動される排気用送風機と、給気用の電動モータで駆動される給気用送風機と、前記排気用送風機の吐出側に設けられ電動モータで開閉される排気シャッターと、前記給気用送風機の吸込側に設けられ電動モータで開閉される給気シャッターを備えている。
そして、給気シャッターと排気シャッターを開として排気用送風機と給気用送風機を駆動することで、調理時に発生した油煙などを吸い込んで屋外に排出すると共に、屋外の空気を屋内に供給して屋内が負圧とならないようにする。
前記各送風機を停止した時には各シャッターを閉じて屋外の空気が強風などで屋内に流れ込まないようにする。
【０００３】
前述の給排気式レンジフードを動作制御する装置としては、図９に示すものが考えられる。
図９に示すように、強スイッチ１、中スイッチ２、弱スイッチ３を第１接点１ａ，２ａ，３ａと第２接点１ｂ，２ｂ，３ｂを有し、かついずれか１つのスイッチのみがＯＮとなると共に、切スイッチ４を押すとＯＮであったスイッチがＯＦＦとなるものとする。
前記強スイッチ１の第１接点１ａを第１リレー５、中スイッチ２の第１接点２ａを第２リレー６、弱スイッチ３の第１接点３ａを第３リレー７にそれぞれ接続する。
前記第１リレー５のリレー接点５ａを排気用の電動モータ８、給気用の電動モータ９の強回路８ａ，９ａに設け、第２リレー６のリレー接点６ａを中回路８ｂ，９ｂに設け、第３リレー７のリレー接点７ａを弱回路８ｃ，９ｃに設ける。
前記強スイッチ１，中スイッチ２、弱スイッチ３の第２接点１ｂ，２ｂ，３ｂを給気シャッター、排気シャッターの電動モータ１０にそれぞれ接続する。
図９で符号１１はランプスイッチで、その接点１１ａはランプ１２に接続している。
【０００４】
前述の制御装置であれば、強・中・弱スイッチ１，２，３がＯＦＦであれば給気シャッター、排気シャッターの各電動モータ１０に通電されずに給気・排気シャッターが閉である。
強・中・弱スイッチ１，２，３のいずれか１つをＯＮすることで、排気用の電動モータ８、給気用の電動モータ９が強・中・弱のいずれか１つの駆動状態となると同時に、給気・排気シャッターの各電動モータ１０に通電されて給気・排気シャッターが開となる。
【０００５】
このように、図９に示す制御装置であれば、１つのスイッチを操作することで排気用の電動モータ８、吸気用の電動モータ９を強・中・弱のいずれかで駆動制御すると同時に、給気・排気シャッターの各電動モータ１０を同時に駆動制御することができる。
【０００６】
【特許文献１】特開平１０−１９３３１号公報
【発明の開示】
【発明が解決しようとする課題】
【０００７】
前述の図９に示す制御装置においては、前述したように各電動モータ８，９，１０を同時に駆動制御するために、強・中・弱スイッチ１，２，３の第２接点１ｂ，２ｂ，３ｂを給気・排気シャッターの電動モータ１０に接続しているので、強・中・弱スイッチ１，２，３の各第１接点１ａ，２ａ，３ａに第１・第２・第３リレー５，６，７を設け、その各リレー接点５ａ，６ａ，７ａを排気用の電動モータ８、吸気用の電動モータ９の回路に設けて２つの電動モータ８，９を駆動制御している。つまり、リレーを用いることで１つのスイッチによって２つの電動モータを制御できるようにしている。
【０００８】
このようであるから、スイッチと各電動モータを複数のリレーとリレー接点を介在して接続するので、スイッチと電動モータを接続する配線作業が面倒である。
また、複数のリレーと複数のリレー接点が必要であるから、コストが高い。
【０００９】
本発明の目的は、１つのスイッチを操作することで２つの電動モータと他の電気機器を同時に駆動制御できると共に、そのスイッチと電動モータを接続する配線作業が簡単であり、しかもコスト安である電動機器の制御装置及びそのスイッチ装置を提供することを目的とする。
【課題を解決するための手段】
【００１０】
第１の発明は、２つの電動モータと他の電気機器をスイッチ装置で動作制御する電動機器の制御装置であって、
前記スイッチ装置は、２つの電動モータを高速駆動する第１のスイッチと、前記２つの電動モータを低速駆動する第２のスイッチと、前記電気機器を動作制御する補助スイッチと、前記第１・第２のスイッチをＯＦＦするための切スイッチを備え、
前記第１・第２のスイッチは、両方が同時にＯＮとなることがなく、操作したスイッチのみがＯＮとなり、かつＯＮ状態を維持し、前記切スイッチを操作することでＯＦＦとなり、
前記補助スイッチは、前記第１・第２のスイッチと連動して当該第１・第２のスイッチがＯＮのときにはＯＮとなり、ＯＦＦのときにはＯＦＦするようにし、
前記第１のスイッチは、第１の操作杆をＯＮ位置、ＯＦＦ位置に移動することで同時にＯＮ，ＯＦＦする第１・第２接点を有し、その第１接点の出力側が一方の電動モータの高速側の回路に接続し、第２接点の出力側が他方の電動モータの高速側の回路に接続し、
前記第２のスイッチは、第２の操作杆をＯＮ位置、ＯＦＦ位置に移動することで同時にＯＮ，ＯＦＦする第１・第２接点を有し、その第１接点の出力側が一方の電動モータの低速側の回路に接続し、第２接点の出力側が他方の電動モータの低速側の回路に接続し、
前記補助スイッチは，ＯＮ，ＯＦＦする接点を有し、その接点の出力側が他の電気機器に接続し、
前記切スイッチは、切用カムを有する操作杆を備え、
第１・第２のスイッチの第１・第２の操作杆はＯＮ用カムと補助用カムを有し、その第１・第２の操作杆をスプリングでＯＦＦ位置に保持し、かつスプリングに抗して押すことでＯＮ位置となるようにし、
この第１・第２の操作杆と切スイッチの操作杆とに亘って第１プレート６５が設けられ、この第１プレート６５は第１・第２の操作杆をＯＮ位置で保持する第１位置と、その保持を解放する第２位置に亘って移動自在で、第１・第２の操作杆をＯＦＦ位置からＯＮ位置に向けて移動することで前記ＯＮ用カムで第１プレート６５が第１位置に移動し、かつ切スイッチの操作杆をスプリングに抗して押すことで前記切用カムで前記第１プレート６５が第２位置に移動するようにし、
前記補助スイッチをＯＮする第３位置とＯＦＦする第４位置とに亘って移動自在な第２プレート７０を設け、
この第２プレート７０を、前記第４位置に保持し、かつ第１・第２の操作杆の一方をＯＮ位置とすることで当該操作杆の補助用カムにより第３位置に移動するようにしたことを特徴とする電動機器の制御装置である。
【００１１】
第２の発明は、２つの電動モータと他の電気機器をスイッチ装置で動作制御する電動機器の制御装置であって、
前記スイッチ装置は、一方の電動モータを高速駆動し、かつ他方の電動モータを駆動制御する第１のスイッチと、前記一方の電動モータを低速駆動し、かつ他方の電動モータを駆動制御する第２のスイッチと、前記電気機器を動作制御する補助スイッチと、前記第１・第２のスイッチをＯＦＦするための切スイッチを備え、
前記第１・第２のスイッチは、両方が同時にＯＮとなることがなく、操作したスイッチのみがＯＮとなり、かつＯＮ状態を維持し、前記切スイッチを操作することでＯＦＦとなり、
前記補助スイッチは、前記第１・第２のスイッチと連動して当該第１・第２のスイッチがＯＮのときにはＯＮとなり、ＯＦＦのときにはＯＦＦするようにし、
前記第１のスイッチは、第１の操作杆をＯＮ位置、ＯＦＦ位置に移動することで、同時にＯＮ，ＯＦＦする第１・第２接点を有し、その第１接点の出力側が一方の電動モータの高速側の回路に接続し、第２接点の出力側が他方の電動モータに接続し、
第２のスイッチは、第２の操作杆をＯＮ位置、ＯＦＦ位置に移動することで同時にＯＮ，ＯＦＦする第１・第２接点を有し、その第１接点の出力側が一方の電動モータの低速側の回路に接続し、第２接点の出力側が他方の電動モータに接続し、
補助スイッチは，ＯＮ，ＯＦＦする接点を有し、その接点の出力側が他の電気機器に接続し、
前記切スイッチは、切用カムを有する操作杆を備え、
第１・第２のスイッチの第１・第２の操作杆はＯＮ用カムと補助用カムを有し、その第１・第２の操作杆をスプリングでＯＦＦ位置に保持し、かつスプリングに抗して押すことでＯＮ位置となるようにし、
この第１・第２の操作杆と切スイッチの操作杆とに亘って第１プレート６５が設けられ、この第１プレート６５は第１・第２の操作杆をＯＮ位置で保持する第１位置と、その保持を解放する第２位置に亘って移動自在で、第１・第２の操作杆をＯＦＦ位置からＯＮ位置に向けて移動することで前記ＯＮ用カムで第１プレート６５が第１位置に移動し、かつ切スイッチの操作杆をスプリングに抗して押すことで前記切用カムで前記第１プレート６５が第２位置に移動するようにし、
前記補助スイッチをＯＮする第３位置とＯＦＦする第４位置とに亘って移動自在な第２プレート７０を設け、
この第２プレート７０を、前記第４位置に保持し、かつ第１・第２の操作杆の一方をＯＮ位置とすることで当該操作杆の補助用カムにより第３位置に移動するようにしたことを特徴とする電動機器の制御装置である。
【００１２】
第３の発明は、同時にＯＮ，ＯＦＦする第１・第２接点を有した複数のスイッチと、
ＯＮ，ＯＦＦする接点を有した補助スイッチ３６と、切スイッチ３４を備え、
前記複数のスイッチは、第１・第２接点をＯＮするＯＮ位置と第１・第２接点をＯＦＦするＯＦＦ位置に移動し、ＯＮ用カム６８と補助用カム７２を有する操作杆を、スプリングでＯＦＦ位置に保持し、かつスプリングに抗して押すことでＯＮ位置となるようにし、
前記切スイッチ３４は、切用カム６７を有する操作杆を備え、
前記複数のスイッチの各操作杆と切スイッチ３４の操作杆とに亘って第１プレート６５が設けられ、この第１プレート６５は複数のスイッチの操作杆をＯＮ位置で保持する第１位置と、その保持を解放する第２位置に亘って移動自在で、前記スイッチの操作杆をＯＦＦ位置からＯＮ位置に向けて移動することで前記ＯＮ用カム６８により第１プレート６５が第１位置に移動し、かつ切スイッチ３４の操作杆をスプリングに抗して押すことで前記切用カム６７により第１プレート６５が第２位置に移動するようにし、
前記複数のスイッチの操作杆と補助スイッチ３６とに亘って第２プレート７０を、当該補助スイッチ３６をＯＮする第３位置とＯＦＦする第４位置とに亘って移動自在に設け、
この第２プレート７０を、前記第４位置に保持すると共に、前記複数のスイッチの操作杆の一つをＯＮ位置とすることで当該操作杆の補助用カム７２により第３位置に移動するようにしたことを特徴とするスイッチ装置である。
【００１３】
第４の発明は、第３の発明において、前記複数のスイッチの操作杆間に作動杆をそれぞれ設け、この作動杆は操作杆のＯＮ位置への移動を阻止する第５位置と，ＯＮ位置への移動を許容する第６位置に移動自在で、各操作杆がＯＦＦ位置のときには第６位置に保持され、いずれか１つの操作杆がＯＮ位置に移動すると、当該操作杆によって第５位置に移動して残りの操作杆がＯＮ位置に移動できないようにしたスイッチ装置である。
【発明の効果】
【００１７】
第１・第２の発明によれば、第１・第２の操作杆の一方をＯＮ位置に移動して第１・第２のスイッチの一方をＯＮすることで、補助スイッチがＯＮとなるし、その状態で切スイッチの操作杆を移動して第１・第２のスイッチの一方をＯＦＦすることで、補助スイッチがＯＦＦとなる。
したがって、１つのスイッチを操作することで２つの電動モータと他の電気機器を同時に駆動制御できる。
また、第１・第２のスイッチと２つの電動モータを直接に接続することができるから、スイッチと電動モータを接続する配線作業が簡単である。
しかも、リレーなどを用いなくとも良いので、コスト安である。
また、第１・第２のスイッチの操作杆を第１プレート６５でＯＮ位置に保持し、切スイッチで第１プレート６５を移動すれば操作杆がＯＦＦ位置に移動する。
補助スイッチは第２プレート７０でＯＦＦとなり、第１・第２のスイッチの操作杆の一方をＯＮ位置とすることで第２プレート７０が移動して補助スイッチがＯＮとなる。
したがって、第１・第２のスイッチと補助スイッチが確実にＯＮ，ＯＦＦできる。
【００１８】
第１の発明によれば、第１のスイッチをＯＮすることで２つの電動モータを高速駆動でき、第２のスイッチをＯＮすることで２つの電動モータを低速駆動できる。
また、第１・第２のスイッチの第１・第２接点を２つの電動モータの高速側の回路、低速側の回路に接続すれば良いから、配線作業が簡単である。
【００１９】
第２の発明によれば、第１のスイッチをＯＮすることで一方の電動モータを高速駆動でき、第２のスイッチをＯＮすることで一方の電動モータを低速駆動できる。
また、第１・第２のスイッチの第１接点を一方の電動モータの高速側の回路、低速側の回路に接続し、第２接点を他方の電動モータに接続すれば良いから、配線作業が簡単である。
【００２１】
第３の発明によれば、複数のスイッチのいずれか１つの操作杆を操作してＯＮすることで補助スイッチがＯＮとなり、切スイッチ３４の操作杆を操作してＯＮであるスイッチをＯＦＦすることで、前述の補助スイッチがＯＦＦとなる。
したがって、複数のスイッチの１つ、切スイッチ３４のいずれか１つのスイッチを操作することが、３つの接点をＯＮ，ＯＦＦできるから、電動モータなどの電気機器を３つ同時に制御できる。
【００２２】
また、複数のスイッチの１つの操作杆をＯＮ位置とすることで、その操作杆のＯＮ用カム６８で第１プレート６５が第１位置に移動し、操作杆をＯＮ位置に保持し、切スイッチ３４の操作杆の切用カム６７で第１プレート６５を第２位置に移動すればその操作杆がＯＦＦ位置に移動する。
補助スイッチ３６は第２プレート７０でＯＦＦとなり、複数のスイッチの操作杆の１つをＯＮ位置とすることで、その操作杆の補助用カム７２で第２プレート７０が第３位置に移動して補助スイッチ３６がＯＮとなる。
したがって、複数のスイッチの１つと補助スイッチ３６を確実にＯＮ，ＯＦＦできる。
【発明を実施するための最良の形態】
【００２３】
図１は給排気式レンジフードの概略正面図で、フード２０の上面２０ａに、幕板２１と排気用送風機２２と給気用送風機２３をそれぞれ設けてある。
前記排気用送風機２２の吸込側はフード２０内に開口し、吐出側は排気シャッター２４を経て図示しない排気ダクトに連通している。
前記給気用送風機２３の吸込側は吸気シャッター２５を経て図示しない吸気ダクトに連通し、吐出側は幕板２１の開口部２１ａと連通している。
前記フード２０の前面２０ｂにスイッチ装置３０が設けてある。
このスイッチ装置３０は、弱スイッチ３１、中スイッチ３２、強スイッチ３３、切スイッチ３４、ランプスイッチ３５を備えている。
【００２４】
前記弱スイッチ３１、中スイッチ３２、強スイッチ３３のいずれか１つを操作してＯＮすると、排気用送風機２２、給気用送風機２３が駆動すると同時に排気シャッター２４、給気シャッター２５が開となる。
これによって、調理時に発生した油煙とともにフード２０内の空気を屋外に排出すると共に、屋外の空気を開口部２１ａから屋内に供給する。
また、前記切スイッチ３４を操作してＯＮとなっている弱・中・強スイッチ３１，３２，３３をＯＦＦすると排気用送風機２２、給気用送風機２３が停止すると同時に排気シャッター２４、給気シャッター２５が閉となる。
【００２５】
前記各スイッチと電動モータは図２に示すように接続される。
前記強スイッチ３３（本発明の第１のスイッチ）は第１・第２接点３３ａ，３３ｂを備え、同時にＯＮ，ＯＦＦされる。この第１接点３３ａは排気用送風機２２の排気用の電動モータ（本発明の一方の電動モータ）４０の強回路（本発明の高速側の回路）４０ａに接続し、第２接点３３ｂは給気用送風機２３の給気用の電動モータ（本発明の他方の電動モータ）４１の強回路（本発明の高速側の回路）４１ａに接続している。
前記中スイッチ（本発明の第２のスイッチ）３２は第１・第２接点３２ａ，３２ｂを備え、同時にＯＮ，ＯＦＦされる。この第１接点３２ａは前述の排気用の電動モータ４０の中回路（本発明の低速側の回路）４０ｂに接続し、第２接点３２ｂは給気用の電動モータ４１の中回路（本発明の低速側の回路）４１ｂに接続している。
前記弱スイッチ（本発明の第２のスイッチ）３１は第１・第２接点３１ａ，３１ｂを備え、同時にＯＮ，ＯＦＦされる。この第１接点３１ａは前述の排気用の電動モータ４０の弱回路（本発明の低速側の回路）４０ｃに接続し、第２接点３１ｂは給気用の電動モータ４１の弱回路（本発明の低速側の回路）４１ｃに接続している。
【００２６】
これにより、強スイッチ３３の第１・第２接点３３ａ，３３ｂがＯＮすると排気用・給気用の電動モータ４０，４１が強駆動（高速回転駆動）し、中スイッチ３２の第１・第２接点３２ａ，３２ｂがＯＮすると排気用・給気用の電動モータ４０，４１が中駆動（中速回転駆動）し、弱スイッチ３１の第１・第２接点３１ａ，３１ｂがＯＮすると排気用・給気用の電動モータ４０，４１が弱駆動（低速回転駆動）する。
【００２７】
前記ランプスイッチ３５の接点３５ａはランプ４２に接続し、その接点３５ａがＯＮするとランプ４２が点灯する。
【００２８】
前記スイッチ装置３０は補助スイッチ３６を備え、この補助スイッチ３６の接点３６ａは、前記排気シャッター２４、給気シャッター２５の電動モータ４３にそれぞれ接続し、その接点３６ａがＯＮすると電動モータ４３が駆動して排気シャッター２４、給気シャッター２５が開となる。
この補助スイッチ３６は前記弱・中・強スイッチ３１，３２，３３と連動してＯＮ，ＯＦＦ動作し、その弱・中・強いずれか１つのスイッチ３１，３２，３３がＯＮの時には補助スイッチ３６がＯＮで、弱・中・強スイッチ３１，３２，３３が全てＯＦＦの時には補助スイッチ３６がＯＦＦとなる。
【００２９】
このようであるから、弱・中・強スイッチ３１，３２，３３のいずれか１つを操作するのみで、排気用・給気用の電動モータ４０，４１と排気シャッター２４、吸気シャッター２５の電動モータ４３が同時に駆動し、切スイッチ３４を操作するのみで前述の各電動モータ４０．４１，４３が同時に停止する。
したがって、弱・中・強スイッチ３１，３２，３３と切スイッチ３４のいずれか１つを操作することで、前述の各電動モータ４０，４１，４３を駆動制御できる。
【００３０】
また、弱・中・強スイッチ３１，３２，３３の各接点を排気用・給気用の電動モータ４０，４１の各回路に直接的に接続すると共に、補助スイッチ３６の接点３６ａを排気シャッター２４、給気シャッター２５の電動モータ４３の回路に接続すれば良く、スイッチと電動モータを接続する配線作業が簡単である。
【００３１】
また、スイッチ装置３０に補助スイッチ３６を設けただけであり、リレーを用いていないからコスト安である。
【００３２】
前記スイッチ装置３０について詳細に説明する。
前記弱スイッチ３１、中スイッチ３２、強スイッチ３３は、それぞれ操作部を有し、その操作部を操作、例えば人の手で押すことでＯＮとなり、かつ手を離してもＯＮし続けると共に、１つのスイッチがＯＮの状態で他のスイッチをＯＮ操作すると，ＯＮであったスイッチがＯＦＦし、いずれか１つのスイッチのみがＯＮし、複数のスイッチが同時にＯＮしないようにしてある。
【００３３】
前記切スイッチ３４は接点を有しておらず、前記弱・中・強スイッチ３１，３２，３３をＯＦＦするためのスイッチである。
この切スイッチ３４は操作部を有し、その操作部を操作、例えば人の手で押すことで弱・中・強スイッチ３１，３２，３３のＯＮであったスイッチをＯＦＦする。
前記操作部から手を離すと、操作部は元の位置に復帰する。
【００３４】
すなわち、弱・中・強スイッチ３１，３２，３３はＯＮ操作することができるが、ＯＦＦ操作できないものであり、切スイッチ３４によってＯＦＦされる。
【００３５】
前記補助スイッチ３６は操作部を有しておらず、前記弱・中・強スイッチ３１，３２，３３と連動してＯＮ，ＯＦＦする。
すなわち、弱・中・強スイッチ３１，３２，３３のいずれか１つがＯＮであればＯＮとなり、いずれもＯＦＦであればＯＦＦとなる。
【００３６】
前記スイッチ装置３０の具体構造を説明する。
図３、図４、図５に示すように、ケーシング５０は本体５１とカバー５２を備え、その本体５１の長手方向両端部に取付用孔５３が形成してある。
前記ケーシング５０に、切スイッチ３４、補助スイッチ３６、弱スイッチ３１、中スイッチ３２，強スイッチ３３、ランプスイッチ３５が長手方向に間隔を置いて順次設けてある。
この切スイッチ３４の操作杆３４ａ、弱・中・強スイッチ３１，３２，３３の操作杆３１ｃ，３２ｃ，３３ｃ、ランプスイッチ３５の操作杆３５ｂは、ケーシング５０の前面５０ａよりも突出して前述の操作部としてある。
前記ケーシング５０には入力端子板５４が長手方向に亘って設けてある。この入力端子板５４は一対の弱用入力端子片５４ａと、一対の中用入力端子片５４ｂと、一対の強用入力端子片５４ｃと、１つのランプ用入力端子片５４ｄと、１つの補助用入力端子片５４ｅを有している。
前記ケーシング５０には、一対の弱用出力端子片５５、一対の中用出力端子片５６、一対の強用出力端子片５７、１つのランプ用出力端子片５８、１つの補助用出力端子片５９がそれぞれ設けてある。この各出力端子片がケーシング５０の上面５０ｂよりも突出し、前述の各接点３１ａ，３１ｂ，３２ａ，３２ｂ，３３ａ，３３ｂ，３５ａ，３６ａとしてある。
【００３７】
前記弱・中・強スイッチ３１，３２，３３の操作杆３１ｃ，３２ｃ，３３ｃはスプリング６０で上方位置（ＯＦＦ位置）に保持されていると共に、一対の接片６１がそれぞれ設けてある。
そして、各操作杆３１ｃ，３２ｃ，３３ｃをスプリング６０に抗して押し下げることで接片６１が、一対の弱用出力端子片５５と一対の弱用入力端子片５４ａ、一対の中用出力端子片５６と一対の中用入力端子片５４ｂ、一対の強用出力端子片５７と一対の強用入力端子片５４ｃをそれぞれ接続してＯＮとする。
【００３８】
前記ランプスイッチ３５の操作杆３５ｂはスプリング６２で上方位置に保持され、接片６３が設けてある。
前記操作杆３５ｂをスプリング６２に抗して押し下げることで接片６３がランプ用出力端子片５８とランプ用入力端子片５４ｄを連通する。
前記切スイッチ３４の操作杆３４ａはスプリング６４で上方位置に保持されている。
【００３９】
前記ケーシング５０には、弱・中・強スイッチ３１，３２，３３の操作杆３１ｃ，３２ｃ，３３ｃのいずれか１つを前述の下方位置（ＯＮ位置）に保持する第１プレート６５が設けてある。
この第１プレート６５はケーシング５０の長手方向に移動自在で、かつ第１スプリング６６で右方（切スイッチ３４の操作杆３４ａと離隔する方向）に移動されて第１の位置に保持してある。
前記第１プレート６５には図６（ａ），（ｂ）に示すように、第１・第２・第３・第４切欠部６５ａ，６５ｂ，６５ｃ，６５ｄが長手方向に間隔を置いて形成してある。
前記切スイッチ３４の操作杆３４ａには図６、図７に示すように第１切欠部６５ａと対向する切用カム６７が設けてあり、前記弱・中・強スイッチ３１，３２，３３の操作杆３１ｃ，３２ｃ，３３ｃには、図６、図７に示すように前記第２〜第４切欠部６５ｂ〜６５ｄと対向するＯＮ用カム６８がそれぞれ設けてある。
前記各カム６７，６８は各操作杆３４ａ，３１ｃ，３２ｃ，３３ｃにおける図５で見える正面部と反対の背面部に設けてあるので、図６では各カム６７，６８を仮想線で図示し、図７は背面側から見た状態で図示してある。このために、図７は図５、図６と左右が反対となっている。
【００４０】
前述の各操作杆３４ａ，３１ｃ，３２ｃ，３３ｃが上方位置の時には、図７（ａ）に示すように各カム６７，６８は第１プレート６５よりも上方に位置している。
前述の状態で弱・中・強スイッチ３１，３２，３３の操作杆３１ｃ，３２ｃ，３３ｃのいずれか１つ、例えば弱スイッチ３１の操作杆３１ｃをスプリング６０に抗して押し下げると、図７（ｂ）示すようにＯＮ用カム６８のカム面６８ａが第２切欠部６５ｂの左の端部に接して第１プレート６５を第１スプリング６６に抗して左方に移動する。前記操作杆３１ｃを更に押して下方位置とすると、図７（ｃ）のようにＯＮ用カム６８のカム面６８ａが第２切欠部６５ｂを通過する。これによって、第１プレート６５が第１スプリング６６で右方に移動して前記ＯＮ用カム６８の上面６８ｂが第１プレート６５の下面に接し、その操作杆３１ｃを下方位置（ＯＮ位置）に保持する。
【００４１】
前述の状態で、下方位置の操作杆３１ｃ以外の操作杆３２ｃ又は３３ｃをスプリング６０に抗して押し下げると、前述と同様にＯＮ用カム６８で第１プレート６５が第１スプリング６６に抗して左方に移動するので、前述のＯＮ用カム６８の上面６８ｂに接していた第１プレート６５が、その上面６８ｂから外れてＯＮ位置であった操作杆３１ｃがスプリング６０で上方位置に移動してＯＦＦ位置となる。
これと同時に、押し下げた操作杆３２ｃ又は３３ｃに設けたＯＮ用カム６８のカム面６８ａが第１プレート６５を通過すると、第１プレート６５は第１スプリング６６で右方に移動して、ＯＮ用カム６８の上面６８ｂに接して下方位置で保持する。
【００４２】
前述のように、弱・中・強スイッチ３１，３２，３３の操作杆３１ｃ，３２ｃ，３３ｃのいずれか１つ、例えば図７（ｃ）に示すように、操作杆３１ｃが下方位置の状態で、切スイッチ３４の操作杆３４ａをスプリング６４に抗して押し下げると、切用カム６７のカム面６７ａが第１切欠部６５ａの左の端部に接して第１プレート６５が第１スプリング６６に抗して左方に移動するから、下方位置の操作杆３１ｃがスプリング６０で上方位置に移動して各操作杆３１ｃ、３２ｃ、３３ｃがそれぞれ上方位置となる。
【００４３】
前記ケーシング５０には、図５に示すように前記補助スイッチ３６をＯＮ，ＯＦＦする第２プレート７０が設けてある。
この第２プレート７０は補助スイッチ３６をＯＮする位置とＯＦＦする位置とに亘ってケーシング５０の長手方向に移動自在で、第２スプリング７１で左方に移動してＯＦＦする位置に保持され、前述の補助スイッチ３６の補助用入力端子片５４ｅを左方に揺動変位して補助用出力端子片５９と離隔し、補助スイッチ３６をＯＦＦとする。
【００４４】
前記第２プレート７０は第１プレート６５の下面と接していると共に、図６に示すように弱・中・強スイッチ３１，３２，３３の操作杆３１ｃ，３２ｃ，３３ｃと対向した第１・第２・第３切欠部７０ａ，７０ｂ，７０ｃが形成してある。この第１・第２・第３切欠部７０ａ，７０ｂ，７０ｃは前述の第１プレート６５の第２・第３・第４切欠部６５ｂ、６５ｃ、６５ｄよりも左方寄りに位置している。
前記各操作杆３１ｃ，３２ｃ，３３ｃには図６、図７に示すように補助用カム７２が設けてある。この補助用カム７２も前述のカムと同様に操作杆の背面部に設けてある。
この補助用カム７２のカム面７２ａは前述のＯＮ用カム６８のカム面６８ａと左右反対向きで、前記第１プレート６５と接しないようにしてある。
【００４５】
前記弱・中・強スイッチ３１，３２，３３の操作杆３１ｃ，３２ｃ，３３ｃのいずれか１つ、例えば操作杆３１ｃを押し下げて図７（ｂ）、図７（ｃ）に示すように下方位置（ＯＮ位置）とすると、補助用カム７２のカム面６８ａが第１・第２・第３切欠部７０ａ，７０ｂ，７０ｃのいずれか１つ、例えば第１切欠部７０ａの右の端部に接して第２プレート７０を第２スプリング７１に抗して右方にストロークＳ１，Ｓ２移動して前述のＯＮする位置とする。
【００４６】
これによって、補助スイッチ３６の補助用入力端子片５４ｅが図５に仮想線で示すように補助用出力端子５９に接して補助スイッチ３６がＯＮする。
そして、前述のように押し下げられた操作杆は前述の第１プレート６５で下方位置に保持されるので、第２プレート７０も右方に移動したままとなって補助スイッチ３６はＯＮのままとなる。
【００４７】
前記弱・中・強スイッチ３１，３２，３３の操作杆３１ｃ，３２ｃ，３３ｃは、同時に２つの操作杆を押し下げて下方位置に移動できないようにしてある。
例えば、図５に示すように操作杆３１ｃと３２ｃとの間に第１作動杆８０、操作杆３２ｃと３３ｃとの間に第２作動杆８１がそれぞれ左右動自在に設けてある。
前記各操作杆３１ｃ，３２ｃ，３３ｃにはカム８２が設けてある。
弱スイッチ３１の操作杆３１ｃを押し下げるとカム８２が第１作動杆８０の一端カム面８０ａに接して右方に移動し、それによって第２作動杆８１も右方に移動する。
前記弱スイッチ３１の操作杆３１ｃが下方位置に移動すると、そのカム８２の側面に第１作動杆８０の一端面が当接して第１作動杆８０が左方に移動しないようにする。
前述の状態で、中スイッチ３２、強スイッチ３３の操作杆３２ｃ，３３ｃを押し下げるとカム８２が第１作動杆８０の他端カム面８０ｂ、第２作動杆８１のカム面８１ａに接して第１・第２作動杆８０，８１を左方に移動しようとするが、前述のように左方に移動できないので、操作杆３２ｃ，３３ｃを押し下げできない。
【００４８】
中スイッチ３２の操作杆３２ｃを押し下げて下方位置とした場合、強スイッチ３３の操作杆３３ｃを押し下げて下方位置とした場合も同様である。
【００４９】
次に、第２の実施の形態を図８に基づいて説明する。
この実施の形態は、給気用送風機を備えずに自然給気するようにした給排気式レンジフードの排気用送風機２２と給排気シャッターを開閉制御する制御装置を示すものである。
スイッチ装置３０は前述のスイッチ装置と同様で、強スイッチ３３（発明の第１のスイッチ）の第１接点３３ａが排気用送風機２２の排気用の電動モータ４０（本発明の一方の電動モータ）の強回路４０ａ（本発明の高速側の回路）に接続し、第２接点３３ｂが給気シャッターの電動モータ４３ａ（本発明の他方の電動モータ）に接続している。
中スイッチ３２（本発明の第２スイッチ）の第１接点３２ａが前記電動モータ４０の中回路４０ｂ（本発明の低速側の回路）に接続し、第２接点３２ｂが前記電動モータ４３ａに接続している。
弱スイッチ３１の第１接点３１ａが前記電動モータ４０の弱回路４０ｃに接続している。
前記スイッチ装置３０の補助スイッチ３６の接点３６ａは、排気シャッターの電動モータ４３ｂ（本発明の電気機器）に接続している。
【００５０】
前記強スイッチ３３をＯＮすると電動モータ４０が強回転すると共に、給気・排気シャッターの電動モータ４３ａ，４３ｂが駆動してそれぞれ開となる。
前記中スイッチ３２をＯＮすると電動モータ４０が中回転すると共に、前記電動モータ４３ａ，４３ｂが駆動して給気・排気シャッターがそれぞれ開となる。
前記弱スイッチ３１をＯＮすると電動モータ４０が弱回転すると共に、排気シャッターの電動モータ４３ｂが駆動して排気シャッターが開となる。なお、給気シャッターは閉のままである。
【００５１】
すなわち、強・中スイッチ３３，３２をＯＮした時には排気用送風機２２が駆動すると共に、給気・排気シャッターが開となって、屋内の空気を屋外に排出すると共に、屋外の空気が屋内に自然給気される。
前記弱スイッチ３１をＯＮした時には排気用送風機２２が駆動すると共に、排気シャッターが開となって屋内の空気を屋外に排出する。なお、自然給気はしない。
【００５２】
以上の実施の形態では、弱・中・強スイッチ３１，３２，３３を用いたが、強スイッチ３３と弱スイッチ３１又は中スイッチ３２の２つのスイッチを用いた場合でも同様である。
また、補助スイッチ３６で排気・給気シャッターの電動モータ４３を制御したが、他の電気機器を制御しても良い。
また、前述の実施の形態では給排気式レンジフードのスイッチ装置として説明したが、これに限ることはない。
すなわち、２つの電動モータと１つの電気機器を有した電動機器を制御する装置として利用することができる。
【図面の簡単な説明】
【００５３】
【図１】レンジフードの概略正面図である。
【図２】スイッチ装置と電動モータの接続回路図である。
【図３】スイッチ装置の正面図である。
【図４】スイッチ装置の左側面図である。
【図５】スイッチ装置のカバーを外した状態の拡大底面図である。
【図６】第１・第２プレートの説明図である。
【図７】スイッチの動作説明図である。
【図８】本発明の第２の実施の形態を示すスイッチと装置と電動モータの接続回路図である。
【図９】従来のスイッチと電動モータの接続回路図である。
【符号の説明】
【００５４】
３０…スイッチ装置、３１…弱スイッチ（第２のスイッチ）、３１ａ…第１接点、３１ｂ…第２接点、３１ｃ…操作杆、３２…中スイッチ（第２のスイッチ）、３２ａ…第１接点、３２ｂ…第２接点、３２ｃ…操作杆、３３…強スイッチ（第１のスイッチ）、３３ａ…第１接点、３３ｂ…第２接点、３３ｃ…操作杆、３４…切スイッチ、３４ａ…操作杆、３６…補助スイッチ、４０…電動モータ（一方の電動モータ）、４１…電動モータ（他方の電動モータ）、４３…電動モータ（他の電気機器）、６５…第１プレート、７０…第２プレート。
【図１】
0004721350.tif 000002
【図２】
0004721350.tif 000003
【図３】
0004721350.tif 000004
【図４】
0004721350.tif 000005
【図５】
0004721350.tif 000006
【図６】
0004721350.tif 000007
【図７】
0004721350.tif 000008
【図８】
0004721350.tif 000009
【図９】
0004721350.tif 000010